(57)【要約】【課題】照明効果を高めた車輌用ランプの構造を提供する。      【解決手段】特に台座を設け、該台座上に透明のランプボディを設け、該透明のランプボディ内にランプセットを設け、該ランプセットは少なくとも一つの前方を向く発光ダイオード体及び少なくとも二つの後方を向く発光ダイオード体を含み、且つランプセットは電源線と台座に連接して設け、このように発光ダイオード体を前後に設けることにより、発光ダイオード体の光線束を利用して、前方は投射し及び後方はリフレクタにより広い面積を反射するので、光が拡散する優れた効果を具有し、且つ明るい光は更に広範囲を照らし、車輌用ランプの照明効果を高めるものである。【選択図】図２
0003102606.tif 000002
【実用新案登録請求の範囲】
【請求項１】
車輌用ランプであって、台座を設け、該台座上に透明のランプボディを設け、該透明のランプボディ内にランプセットを設け、該ランプセットは少なくとも一つの前方を向く発光ダイオード体及び少なくとも二つの後方を向く発光ダイオード体を設け、且つランプセットは電源線と台座に連接して設け、このように発光ダイオード体を前後に設けることにより、発光ダイオード体の光線束を利用して、前方は投射し及び後方はリフレクタにより広い面積を反射するので、光が拡散する優れた効果を具有し、且つ明るい光は更に広範囲を照らし、車輌用ランプの照明効果を高めることを特徴とする車輌用ランプの構造。
【請求項２】
前記透明ランプボディ内に透明材質の固定用のりを注入することもでき、ランプセットを透明ボディ内の定位に固定することを特徴とする請求項１に記載の車輌用ランプの構造。
【考案の詳細な説明】
【技術分野】
【０００１】
本考案は、車輌用ランプに関し、特に、光が拡散し、且つ明るい光が広範囲を照らし、照明効果を高める技術分野に属する。
【背景技術】
【０００２】
従来公知の車輌用ランプの構造は、図１に示すとおり、車輌用ランプ１において台座１０上に電球１１を組合せ車輌用ランプの光源とする。しかしながら公知の車輌用ランプ１の電球１１はタングステン線が高温で焼ける又は走行中の振動により切れてしまうことがあり、且つ目を刺すような光線である。
なお、複数の発光体を組み込んだスポットライトは、例えば、特許文献１に示すように既に知られている。
【特許文献１】特開平１０−３０２５１４号
【考案の開示】
【考案が解決しようとする課題】
【０００３】
本考案は、上記の公知構造の欠点を解決するため、車輌用ランプの構造を提供することを課題としたもので、それは、発光ダイオード体を前後に設けることにより、発光ダイオード体の光線束を利用して、前方は投射し及び後方はリフレクタにより広い面積を反射するので、光が拡散する優れた効果を具有し、且つ明るい光は更に広範囲を照らし、車輌用ランプの照明効果を高める車輌用ランプの構造を提供するものである。
【課題を解決するための手段】
【０００４】
本考案の車輌用ランプは、上記課題を解決するために、特に、台座を設け、該台座上に透明のランプボディを設け、該透明のランプボディ内にランプセットを設け、該ランプセットは少なくとも一つの前方を向く発光ダイオード体及び少なくとも二つの後方を向く発光ダイオード体を含み、且つランプセットは電源線と台座に連接して設けることを主な特徴とする。
すなわち、請求項１の考案は、車輌用ランプであって、台座を設け、該台座上に透明のランプボディを設け、該透明のランプボディ内にランプセットを設け、該ランプセットは少なくとも一つの前方を向く発光ダイオード体及び少なくとも二つの後方を向く発光ダイオード体を設け、且つランプセットは電源線と台座に連接して設け、このように発光ダイオード体を前後に設けることにより、発光ダイオード体の光線束を利用して、前方は投射し及び後方はリフレクタにより広い面積を反射するので、光が拡散する優れた効果を具有し、且つ明るい光は更に広範囲を照らし、車輌用ランプの照明効果を高めることを特徴とする車輌用ランプの構造である。
請求項２の考案は、前記透明ランプボディ内に透明材質の固定用のりを注入することもでき、ランプセットを透明ボディ内の定位に固定することを特徴とする請求項１に記載の車輌用ランプの構造である。
【考案の効果】
【０００５】
本考案は、車輌用ランプに関するもので、特に台座を設け、該台座上に透明のランプボディを設け、該透明のランプボディ内にランプセットを設け、該ランプセットは少なくとも一つの前方を向く発光ダイオード体及び少なくとも二つの後方を向く発光ダイオード体を含み、且つランプセットは電源線と台座に連接して設け、このように発光ダイオード体を前後に設けることにより、発光ダイオード体の光線束を利用して、前方は投射し及び後方はリフレクタにより広い面積を反射するので、光が拡散する優れた効果を具有し、且つ明るい光は更に広範囲を照らし、車輌用ランプの照明効果を高めるものである。
【考案を実施するための最良の形態】
【０００６】
本考案は、車輌用ランプに関するもので、特に台座を設け、該台座上に透明のランプボディを設け、該透明のランプボディ内にランプセットを設け、該ランプセットは少なくとも一つの前方を向く発光ダイオード体及び少なくとも二つの後方を向く発光ダイオード体を含み、且つランプセットは電源線と台座に連接して設け、このように発光ダイオード体を前後に設けることにより、発光ダイオード体の光線束を利用して、前方は投射し及び後方はリフレクタにより広い面積を反射するので、光が拡散する優れた効果を具有し、且つ明るい光は更に広範囲を照らし、車輌用ランプの照明効果を高めるという目的を実現した。
【実施例１】
【０００７】
本考案の好適な実施例を図に沿って説明する。
図２から４に示すように、本考案の実施例は主に台座２を設け、該台座２上に透明のランプボディ２０を設け、該透明のランプボディ２０内にランプセット３を設け、該ランプセットは少なくとも一つの前方を向く発光ダイオード体３０及び少なくとも二つの後方を向く発光ダイオード体３０を含み、且つランプセット３は電源線３１と台座２に連接して設ける。
【０００８】
台座２へ設ける透明ランプボディ２０内へ調合のりの透明材質である固定用のり４を注入することもでき、ランプセット３を透明のランプボディ２０内の定位に固定する。
【０００９】
図５に示すように、上記のランプセット３を、車輌用ランプに複数の反射面５０を具有するリフレクタ５を組み合わせ、前方に向けて取りつけられた発光ダイオード体は前方に向かって投射し、及び後方に向かって取りつけられた発光ダイオード体は異なる角度を有する反射面５０を経由してリフレクタ５を照らすことになる。
したがって、本実施例は、ランプセット３は少なくとも一つの前方を向く発光ダイオード体３０、少なくとも二つの後方を向く発光ダイオード体３０を設け、このように発光ダイオード体を前後に設ける構成により、発光ダイオード体３０の光線束を利用して、前方は投射し及び後方はリフレクタにより広い面積を反射するので、光が拡散する優れた効果を具有し、且つ明るい光は更に広範囲を照らし、車輌用ランプの照明効果を高める作用を有する。
【図面の簡単な説明】
【００１０】
【図１】従来公知の車輌用ランプの構造図である。
【図２】本考案の実施例の立体分解図である。
【図３】本考案の実施例の組立てたランプセットの斜視図である。
【図４】本考案の実施例の組立てたランプセットの断面図である。
【図５】本考案の実施例のリフレクタを組み合わせた使用図である。
【符号の説明】
【００１１】
１…車輌用ランプ
１０…台座
１１…電球
２…台座
２０…透明ランプボディ
３０…発光ダイオード体
３１…電源線
４…固定用のり
５…リフレクタ
５０…反射面
【図１】
0003102606.tif 000003
【図２】
0003102606.tif 000004
【図３】
0003102606.tif 000005
【図４】
0003102606.tif 000006
【図５】
0003102606.tif 000007